(57)【要約】【課題】特定原稿を検出したことをユーザーに対して効果的に伝えることのできる画像読取装置、画像読取装置の制御方法、および画像読取装置の制御プログラムを提供する。【解決手段】画像読取装置としてのＭＦＰは、原稿の画像を読み取る画像読取部２１と、画像読取部２１にて読み取った画像から特定原稿を検出する特定原稿検出部４３と、画像読取部２１にて読み取った画像をプレビュー表示する操作パネル３９と、画像読取部２１にて読み取った画像のうち、特定原稿検出部４３にて検出した特定原稿の画像を除いた画像を出力する画像出力部２７とを備えている。特定原稿検出部４３にて特定原稿を検出した場合に、操作パネル３９は、特定原稿の画像をプレビュー表示する代わりに、特定原稿であることを示す表示を行う。【選択図】図２
2015146644.tif 000002
【特許請求の範囲】
【請求項１】
原稿の画像を読み取る画像読取手段と、
前記画像読取手段にて読み取った画像から特定原稿を検出する特定原稿検出手段と、
前記画像読取手段にて読み取った画像をプレビュー表示するプレビュー表示手段と、
前記画像読取手段にて読み取った画像のうち、前記特定原稿検出手段にて検出した特定原稿の画像を除いた画像を出力する画像出力手段とを備え、
前記特定原稿検出手段にて特定原稿を検出した場合に、前記プレビュー表示手段は、前記特定原稿検出手段にて検出した特定原稿の画像をプレビュー表示する代わりに、特定原稿であることを示す表示を行う、画像読取装置。
【請求項２】
前記画像読取手段は複数ページよりなる原稿の画像を読み取り、
前記プレビュー表示手段は、前記画像読取手段にて原稿の全ページの画像の読み取りを完了する前に、前記画像読取手段にて読み取りを完了したページの画像をプレビュー表示するリアルタイムプレビュー表示を行う、請求項１に記載の画像読取装置。
【請求項３】
前記プレビュー表示手段がリアルタイムプレビュー表示を行う場合、前記プレビュー表示手段が前記特定原稿であることを示す表示を行う時間は、前記プレビュー表示手段が特定原稿ではない原稿の画像を表示する時間よりも短い、請求項２に記載の画像読取装置。
【請求項４】
前記プレビュー表示手段は、前記画像読取手段にて読み取りを完了したページの画像を読み取り順に１枚ずつプレビュー表示する、請求項１〜３のいずれかに記載の画像読取装置。
【請求項５】
前記プレビュー表示手段は、前記画像読取手段にて読み取りを完了した複数のページの画像をプレビュー表示し、かつプレビュー表示する複数のページの画像のうち１つの画像を他の画像よりも拡大して表示し、かつ拡大して表示するする画像を一定時間ごとに切り替える、請求項１〜４のいずれかに記載の画像読取装置。
【請求項６】
前記特定原稿検出手段にて特定原稿を検出した場合に、前記プレビュー表示手段は、特定原稿であることを示すアイコンを表示する、請求項１〜５のいずれかに記載の画像読取装置。
【請求項７】
前記プレビュー表示手段にて前記特定原稿であることを示す表示を行った後で、別の画像をプレビュー表示した場合に、前記プレビュー表示手段は、前記別の画像とともに前記特定原稿であることを示す表示を行う、請求項１〜６のいずれかに記載の画像読取装置。
【請求項８】
前記特定原稿であることを示す表示の選択を受け付ける表示選択受付手段をさらに備え、
前記表示選択受付手段にて表示の選択を受け付けた場合に、前記プレビュー表示手段は前記表示選択受付手段にて選択を受け付けた表示に関する特定原稿の画像をプレビュー表示する、請求項１〜７のいずれかに記載の画像読取装置。
【請求項９】
前記表示選択受付手段にて表示の選択を受け付けた場合に、前記画像読取手段は原稿の画像の読み取りを一時停止する、請求項８に記載の画像読取装置。
【請求項１０】
前記画像読取手段が原稿の画像の読み取りを一時停止した後で、前記プレビュー表示手段は、原稿の画像の読み取りの再開または原稿の読み取りの停止をユーザに選択させるダイアログを表示する、請求項９に記載の画像読取装置。
【請求項１１】
前記特定原稿検出手段にて特定原稿を連続して検出した場合に、前記プレビュー表示手段は、連続して検出した特定原稿のうち最先のページ以降のページを、連続して検出した特定原稿のうち最先のページとは異なるアイコンで表示する、請求項１〜１０のいずれかに記載の画像読取装置。
【請求項１２】
原稿の画像を読み取る画像読取ステップと、
前記画像読取ステップにて読み取った画像から特定原稿を検出する特定原稿検出ステップと、
前記画像読取ステップにて読み取った画像をプレビュー表示するプレビュー表示ステップと、
前記画像読取ステップにて読み取った画像のうち、前記特定原稿検出ステップにて検出した特定原稿の画像を除いた画像を出力する画像出力ステップとを備え、
前記特定原稿検出ステップにて特定原稿を検出した場合に、前記プレビュー表示ステップにおいて、前記特定原稿検出ステップにて検出した特定原稿の画像をプレビュー表示する代わりに、特定原稿であることを示す表示を行う、画像読取装置の制御方法。
【請求項１３】
原稿の画像を読み取る画像読取ステップと、
前記画像読取ステップにて読み取った画像から特定原稿を検出する特定原稿検出ステップと、
前記画像読取ステップにて読み取った画像をプレビュー表示するプレビュー表示ステップと、
前記画像読取ステップにて読み取った画像のうち、前記特定原稿検出ステップにて検出した特定原稿の画像を除いた画像を出力する画像出力ステップとをコンピュータに実行させ、
前記特定原稿検出ステップにて特定原稿を検出した場合に、前記プレビュー表示ステップにおいて、前記特定原稿検出ステップにて検出した特定原稿の画像をプレビュー表示する代わりに、特定原稿であることを示す表示を行う、画像読取装置の制御プログラム。
【発明の詳細な説明】
【技術分野】
【０００１】
本発明は、画像読取装置、画像読取装置の制御方法、および画像読取装置の制御プログラムに関し、より特定的には、読み取りを完了した画像をプレビュー表示する画像読取装置、画像読取装置の制御方法、および画像読取装置の制御プログラムに関する。
【背景技術】
【０００２】
電子写真式の画像形成装置には、スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなどがある。
【０００３】
近年、画像形成装置は、画像読取装置を備えるスキャナ、複写機、プリンタ、ファクシミリ、またはデジタル複合機などとして、オフィスや家庭などに急速に普及している。画像読取装置の中には、複数の原稿を一枚ずつ画像読取部に供給する自動原稿送り装置（ＡＤＦ：Ａｕｔｏ  Ｄｏｃｕｍｅｎｔ  Ｆｅｅｄｅｒ）と、原稿の表面および裏面の画像を読み取る画像読取部（イメージセンサ）とを含むものがある。この画像読取装置によれば、複数枚からなる原稿を順に自動で画像読取部へ供給し、原稿の表面および裏面の原稿を同時に読み取ることができる。
【０００４】
画像読取装置において読み取った原稿に白紙のページが含まれている場合、白紙が出力されないようにするために、読み取り時に原稿の白紙を検出した場合に、その白紙を画像データから削除する白紙除去機能を画像読取装置は有していた。
【０００５】
従来の白紙除去機能は、白紙を検出した場合に、原稿の読み取りを中断してあるいは原稿読み込み終了後に操作パネルに警告を表示したり、白紙を除去したページのみ操作パネルにプレビューを表示したりするものであった。
【０００６】
白紙除去機能に関する従来の技術は、たとえば下記特許文献１または２になどに開示されている。下記特許文献１には、白紙のページが検出された場合に、原稿の読み取りを中断して警告を送出する技術、および原稿読み込み終了後に警告を送出する技術が開示されている。
【０００７】
下記特許文献２には、読み込んだ原稿画像データの中から白紙の画像データを検出し、検出された白紙の画像データを除く画像データについてプレビュー表示し、送信または印刷する技術が開示されている。
【先行技術文献】
【特許文献】
【０００８】
【特許文献１】特開２００２−１１６６６５号公報
【特許文献２】特開２０１０−１６７７０号公報
【発明の概要】
【発明が解決しようとする課題】
【０００９】
しかしながら、従来の技術では、画像読取装置が白紙を検出したことをユーザーに対して効果的に伝えることができなかった。この問題は、特にリアルタイムプレビューと併用した場合に深刻であった。ここで、リアルタイムプレビューとは、読み込み動作に連動して、読み込んだ原稿の画像のプレビュー表示を連続的に次のページの画像に切り替える技術である。
【００１０】
具体的には、特許文献１のように原稿の読み取りを中断して警告を送出する場合、白紙を検出する毎に原稿の読み取りが停止し、その結果生産性が低下してしまう。また、原稿読み込み終了後に警告を送出する場合、白紙を検出したことをユーザーに対して迅速に伝えることができなかった。
【００１１】
また特許文献２の技術では、ユーザーに知らせることなく検出した白紙を除去するので、正常に白紙が除去されたか否かをユーザーはプレビュー表示画面上で確認することができなかった。送信ジョブや印刷ジョブなどの出力ジョブの場合には、白紙が除去されて出力されることが望ましいが、原稿を読み込んだときのプレビュー表示では、正常に白紙であることが判定されたか否かを確認するために、読み込んだ全ページの情報を表示し、白紙と判定した場合にはその旨を知らせることが望ましい。
【００１２】
以上の理由により、特にリアルタイムプレビュー使用時には、白紙を検出したことをユーザーに対して効果的に伝えることが重要である。
【００１３】
本発明は、上記課題を解決するためのものであり、その目的は、特定原稿を検出したことをユーザーに対して効果的に伝えることのできる画像読取装置、画像読取装置の制御方法、および画像読取装置の制御プログラムを提供することである。
【課題を解決するための手段】
【００１４】
本発明の一の局面に従う画像読取装置は、原稿の画像を読み取る画像読取手段と、画像読取手段にて読み取った画像から特定原稿を検出する特定原稿検出手段と、画像読取手段にて読み取った画像をプレビュー表示するプレビュー表示手段と、画像読取手段にて読み取った画像のうち、特定原稿検出手段にて検出した特定原稿の画像を除いた画像を出力する画像出力手段とを備え、特定原稿検出手段にて特定原稿を検出した場合に、プレビュー表示手段は、特定原稿検出手段にて検出した特定原稿の画像をプレビュー表示する代わりに、特定原稿であることを示す表示を行う。
【００１５】
上記画像読取装置において好ましくは、画像読取手段は複数ページよりなる原稿の画像を読み取り、プレビュー表示手段は、画像読取手段にて原稿の全ページの画像の読み取りを完了する前に、画像読取手段にて読み取りを完了したページの画像をプレビュー表示するリアルタイムプレビュー表示を行う。
【００１６】
上記画像読取装置において好ましくは、プレビュー表示手段がリアルタイムプレビュー表示を行う場合、プレビュー表示手段が特定原稿であることを示す表示を行う時間は、プレビュー表示手段が特定原稿ではない原稿の画像を表示する時間よりも短い。
【００１７】
上記画像読取装置において好ましくは、プレビュー表示手段は、画像読取手段にて読み取りを完了したページの画像を読み取り順に１枚ずつプレビュー表示する。
【００１８】
上記画像読取装置において好ましくは、プレビュー表示手段は、画像読取手段にて読み取りを完了した複数のページの画像をプレビュー表示し、かつプレビュー表示する複数のページの画像のうち１つの画像を他の画像よりも拡大して表示し、かつ拡大して表示するする画像を一定時間ごとに切り替える。
【００１９】
上記画像読取装置において好ましくは、特定原稿検出手段にて特定原稿を検出した場合に、プレビュー表示手段は、特定原稿であることを示すアイコンを表示する。
【００２０】
上記画像読取装置において好ましくは、プレビュー表示手段にて特定原稿であることを示す表示を行った後で、別の画像をプレビュー表示した場合に、プレビュー表示手段は、別の画像とともに特定原稿であることを示す表示を行う。
【００２１】
上記画像読取装置において好ましくは、特定原稿であることを示す表示の選択を受け付ける表示選択受付手段をさらに備え、表示選択受付手段にて表示の選択を受け付けた場合に、プレビュー表示手段は表示選択受付手段にて選択を受け付けた表示に関する特定原稿の画像をプレビュー表示する。
【００２２】
上記画像読取装置において好ましくは、表示選択受付手段にて表示の選択を受け付けた場合に、画像読取手段は原稿の画像の読み取りを一時停止する。
【００２３】
上記画像読取装置において好ましくは、画像読取手段が原稿の画像の読み取りを一時停止した後で、プレビュー表示手段は、原稿の画像の読み取りの再開または原稿の読み取りの停止をユーザに選択させるダイアログを表示する。
【００２４】
上記画像読取装置において好ましくは、特定原稿検出手段にて特定原稿を連続して検出した場合に、プレビュー表示手段は、連続して検出した特定原稿のうち最先のページ以降のページを、連続して検出した特定原稿のうち最先のページとは異なるアイコンで表示する。
【００２５】
本発明の他の局面に従う画像読取装置の制御方法は、原稿の画像を読み取る画像読取ステップと、画像読取ステップにて読み取った画像から特定原稿を検出する特定原稿検出ステップと、画像読取ステップにて読み取った画像をプレビュー表示するプレビュー表示ステップと、画像読取ステップにて読み取った画像のうち、特定原稿検出ステップにて検出した特定原稿の画像を除いた画像を出力する画像出力ステップとを備え、特定原稿検出ステップにて特定原稿を検出した場合に、プレビュー表示ステップにおいて、特定原稿検出ステップにて検出した特定原稿の画像をプレビュー表示する代わりに、特定原稿であることを示す表示を行う。
【００２６】
本発明のさらに他の局面に従う画像読取装置の制御プログラムは、原稿の画像を読み取る画像読取ステップと、画像読取ステップにて読み取った画像から特定原稿を検出する特定原稿検出ステップと、画像読取ステップにて読み取った画像をプレビュー表示するプレビュー表示ステップと、画像読取ステップにて読み取った画像のうち、特定原稿検出ステップにて検出した特定原稿の画像を除いた画像を出力する画像出力ステップとをコンピュータに実行させ、特定原稿検出ステップにて特定原稿を検出した場合に、プレビュー表示ステップにおいて、特定原稿検出ステップにて検出した特定原稿の画像をプレビュー表示する代わりに、特定原稿であることを示す表示を行う。
【発明の効果】
【００２７】
本発明によれば、特定原稿を検出したことをユーザーに対して効果的に伝えることのできる画像読取装置、画像読取装置の制御方法、および画像読取装置の制御プログラムを提供することができる。
【図面の簡単な説明】
【００２８】
【図１】本発明の第１の実施の形態におけるＭＦＰ１００の概観を示す図である。
【図２】図１のＭＦＰ１００に含まれる制御部１０の構成を示すブロック図である。
【図３】図１に示すＭＦＰ１００の操作パネル３９の概観を示す図である。
【図４】プレビュー機能を設定した状態で、白紙を含む複数のページよりなる原稿を読み込んだ場合に、操作パネル３９に表示されるプレビュー画像を模式的に示す図である。
【図５】第１の実施の形態におけるＭＦＰ１００の動作を示すフローチャートである。
【図６】リアルタイムプレビュー機能を設定した状態で、複数のページよりなる原稿を読み込んだ場合に、操作パネル３９に表示されるプレビュー画像を模式的に示す図である。
【図７】第２の実施の形態におけるＭＦＰ１００の動作を示すフローチャートである。
【図８】リアルタイムプレビュー機能を設定した状態で原稿を読み込んだ場合に、操作パネル３９に表示されるプレビュー画像の第１の変形例を模式的に示す図である。
【図９】リアルタイムプレビュー機能を設定した状態で原稿を読み込んだ場合に、操作パネル３９に表示されるプレビュー画像の第２の変形例を模式的に示す図である。
【図１０】特定原稿検出部４３が特定原稿を連続して検出した場合に、操作パネル３９に表示されるプレビュー画像の第３の変形例を模式的に示す図である。
【図１１】タッチパネル５１にアイコン１０１が表示された状態で、アイコン１０１が選択された場合に、操作パネル３９に表示されるプレビュー画像を模式的に示す図である。
【図１２】タッチパネル５１にアイコン１０１が表示された状態で、アイコン１０１が選択された場合に、操作パネル３９に表示されるプレビュー画像の変形例を示す図である。
【図１３】第４の実施の形態におけるＭＦＰ１００の動作を示すフローチャートである。
【発明を実施するための形態】
【００２９】
以下、本発明の実施の形態について、図面に基づいて説明する。
【００３０】
以下の実施の形態においては、画像読取装置が画像形成装置である場合について説明する。画像形成装置は、電子写真方式や静電記録方式などによって画像形成を行うものであり、スキャナ機能、ファクシミリ機能、複写機能、プリンタとしての機能、データ通信機能、およびサーバ機能を備えたＭＦＰや、ファクシミリ装置、複写機、プリンタなどを含む。画像読取装置は、原稿の画像を読み取り可能なものであればよく、画像形成装置の他、スキャナなどであってもよい。
【００３１】
［第１の実施の形態］
始めに、本発明の第１の実施の形態におけるＭＦＰの構成について説明する。
【００３２】
図１は、本発明の第１の実施の形態におけるＭＦＰ１００の概観を示す図である。
【００３３】
図１を参照して、本実施の形態における画像形成装置としてのＭＦＰ１００は、自動原稿送り装置を含む画像読取部２１と、画像処理部２３と、画像形成部２５と、給紙部１３と、後処理部４１と、排紙トレイ１７とを備えている。
【００３４】
ＭＦＰ１００が複写機として使用される場合やスキャナとして使用される場合などには、ユーザーによって画像読取部２１の給紙トレイ２１ａにセットされた原稿が、画像読取部２１で読み取られる。画像処理部２３は、画像読取部２１で読み取った画像データなどを処理する。画像形成部２５は、給紙部１３から給紙された用紙に対して、画像処理部２３で処理された画像データに基づいて画像を形成する。画像が形成された用紙は、必要に応じて後処理部４１にて後処理が施され、排出トレイ１７へ排出される。
【００３５】
図２は、図１のＭＦＰ１００の制御部１０の構成を示すブロック図である。
【００３６】
図２を参照して、ＭＦＰ１００は制御部１０を備えている。制御部１０は、ＣＰＵ（中央演算処理装置）１１と、画像読取部２１と、画像処理部２３と、画像形成部２５と、画像出力部２７と、ファクシミリ制御部２９と、ネットワーク接続部３１と、ＲＯＭ（Ｒｅａｄ  Ｏｎｌｙ  Ｍｅｍｏｒｙ）３３と、ＲＡＭ（Ｒａｎｄｏｍ  Ａｃｃｅｓｓ  Ｍｅｍｏｒｙ）３５と、ＨＤＤ（Ｈａｒｄ  Ｄｉｓｋ  Ｄｒｉｖｅ）３７と、操作パネル（ＭＦＰ表示部）３９と、後処理部４１と、特定原稿検出部４３と、特定原稿除去部４５とを備えている。
【００３７】
画像読取部２１は原稿の画像を読み取る。画像処理部２３は画像データに対して処理を行なう。画像形成部２５は画像処理部２３にて処理された画像データに基づいて用紙などに画像を形成する。画像出力部２７は画像データなどの出力処理を制御する。ファクシミリ制御部２９は通信回線を通して画像データを送信する。ネットワーク接続部３１はＭＦＰ１００と外部機器との接続を制御する。ＲＯＭ３３は、ＭＦＰ１００の制御プログラムなどを保存する。ＲＡＭ３５は、画像読取部２１にて読み取った画像データなどのデータを一時的に記憶する。ＨＤＤ３７は、各種データを保存し、データの書き換えが可能である。操作パネル３９は、ユーザーからＭＦＰ１００の操作を受け付けたり、ユーザーへの各種情報の表示を行ったりする。後処理部４１は読み取った原稿および／または画像形成した用紙に対して後処理を施す。特定原稿検出部４３は、画像読取部２１にて読み取った画像から特定原稿を検出する。特定原稿除去部４５は、画像読取部２１にて読み取った画像データから特定原稿を削除する。
【００３８】
ＣＰＵ１１を中心に、各モジュールが通信および制御信号に基づいて制御される。ＣＰＵ１１は、画像読取部２１、画像処理部２３、画像形成部２５、画像出力部２７、ファクシミリ制御部２９、ネットワーク接続部３１、ＲＯＭ３３、ＲＡＭ３５、ＨＤＤ３７、操作パネル３９、後処理部４１、特定原稿検出部４３、および特定原稿除去部４５の各々と、通信または信号の送受信を実施することで、制御部１０全体を制御する。
【００３９】
本実施の形態においては、特定原稿が白紙の原稿である場合を想定している。白紙の原稿は、典型的には全く印刷がされていない原稿であるが、全く印刷がされていない原稿の他、たとえばヘッダやフッタなどが付されているものの、本文が記載されていない原稿（実質的に白紙の原稿）などを含んでいてもよい。特定原稿とは、どのような種類の原稿であってもよい。特定原稿としては、ＯＣＲ（Ｏｐｔｉｃａｌ  Ｃｈａｒａｃｔｅｒ  Ｒｅｃｏｇｎｉｔｉｏｎ）処理で原稿の文字を読み取った結果、「複写禁止」などの特定の文字が検出された原稿や、文字領域が存在せず画像のみである原稿や、画像領域が存在せず文字のみある原稿などであってもよい。どのような原稿を特定原稿とするかの設定をユーザーや管理者から受け付けてもよい。
【００４０】
図３は、図１に示すＭＦＰ１００の操作パネル３９の概観を示す図である。
【００４１】
図３を参照して、操作パネル３９は、各種設定項目やメッセージなどを表示し、かつユーザーから各種設定を受け付けるタッチパネル５１と、ＭＦＰ１００のコピー機能を利用する際に押下されるコピーキー５３と、プレビュー機能やリアルタイムプレビュー機能を設定する際に押下されるプレビューキー５４と、各機能のジョブの実行を受け付けるスタートキー５５と、各種数値の入力を受け付けるテンキー５７などを含んでいる。
【００４２】
続いて、プレビュー機能を設定した状態で複数のページよりなる原稿を読み込んだ場合のＭＦＰ１００の動作について説明する。
【００４３】
図４は、プレビュー機能を設定した状態で、白紙を含む複数のページよりなる原稿を読み込んだ場合に、操作パネル３９に表示されるプレビュー画像を模式的に示す図である。
【００４４】
なお、説明の便宜のため、以降の図および説明において、各原稿およびその画像にはページ数（Ｐ１、Ｐ２、Ｐ３、・・・最後）を付す場合がある。また以降の図において、白紙でない原稿（特定原稿でない原稿）およびその画像には点線のハッチングを付し、白紙である原稿およびその画像には「白紙」の文字を付す場合がある。
【００４５】
図４を参照して、プレビュー機能を設定した状態（たとえばプレビューキー５４が１回押下された状態）で、コピージョブの実行指示をユーザーから受け付けると、画像読取部２１は、原稿の画像を１ページずつ読み取り、読み取った原稿の画像を電子化し、電子化したデータ（画像データ）をＲＡＭ３５に記憶する。特定原稿検出部４３は、ＲＡＭ３５に記憶された画像データから白紙を検出する。
【００４６】
たとえば原稿が１〜３ページよりなる場合において、２ページが白紙であるときは、１〜３ページの画像データがＲＡＭ３５に記憶され、２ページの白紙が特定原稿検出部４３で検知される。
【００４７】
操作パネル３９は、原稿の全ページの画像の読み取りが完了すると、読み取りを完了したページのプレビュー画像（縮小画像）をページ順（読み取り順）に１枚ずつタッチパネル５１に表示する。特定原稿検出部４３が白紙を検出した場合、操作パネル３９は、そのページのプレビュー画像を表示する代わりに、白紙であることを示す表示をタッチパネル５１に行う。
【００４８】
具体的には、原稿Ｐ１〜Ｐ３の画像の読み取りが完了すると、（ａ）に示すように、タッチパネル５１には、原稿Ｐ１（１ページ）のプレビュー画像が表示される。次に、次ページを表示する指示を、操作パネル３９を通じてユーザーから受け付けると、白紙である原稿Ｐ２（２ページ）のプレビュー画像は表示されず、たとえば矩形のアイコン１０１が入れ替えて表示される。次に、次ページを表示する指示を、操作パネル３９を通じてユーザーから受け付けると、（ｃ）に示すように、原稿Ｐ３（３ページ）のプレビュー画像が表示される。アイコン１０１は、特定原稿（白紙）であることを示す表示の一例であり、どのような形状のものであってもよい。また特定原稿であることを示す表示としては、アイコンの他、文字（メッセージ）などであってもよい。
【００４９】
全てのページをプレビュー表示した後、操作パネル３９を通じてユーザーから出力の指示を受け付けた場合には、特定原稿除去部４５は、ＲＡＭ３５に記憶された画像データから、特定原稿検出部４３が検出した白紙の画像データを除去する。そして画像形成部２５は、白紙の画像データを除いた後の画像を用紙に対して印刷する。画像形成以外のジョブの実行指示をユーザーから受け付けた場合には、画像出力部２７は、白紙の画像データを除いた後の画像を出力する。
【００５０】
具体的には、原稿Ｐ２の画像データが除去され、原稿Ｐ１およびＰ３のそれぞれの画像が印刷された用紙が出力される。
【００５１】
特定原稿を検出した場合に、その画像の代わりにアイコン１０１を表示し、かつ特定原稿を画像データから除去して出力する上述の機能（以下、特定原稿除去機能と呼ぶことがある）は、ジョブ開始直前にたとえば操作パネル３９を通じてユーザーによって設定されてもよいし、管理者によって初期設定されていてもよい。
【００５２】
図５は、第１の実施の形態におけるＭＦＰ１００の動作を示すフローチャートである。
【００５３】
図５を参照して、プレビュー機能を設定した状態でジョブの実行指示を受け付けると、ＭＦＰ１００のＣＰＵ１１は、ジョブを開始する（Ｓ０）。ジョブは、画像の読み取りを含むジョブでればよく、たとえばコピー、ファクシミリ送信、インターネット通信を利用した送信、またはＭＦＰ１００の記憶部（ＨＤＤ３７など）への保存などである。
【００５４】
次にＣＰＵ１１は、特定原稿除去機能が設定されているか否かを判別する（Ｓ１）。ステップＳ１において、設定されていると判別した場合（Ｓ１でＹＥＳ）、ＣＰＵ１１は、特定原稿除去フラグを「Ｔｒｕｅ」にセットし（Ｓ２）、ステップＳ４の処理へ進む。一方、ステップＳ１において、設定されていないと判別した場合（Ｓ１でＮＯ）、ＣＰＵ１１は、特定原稿除去フラグを「Ｆａｌｓｅ」にセットし（Ｓ３）、ステップＳ４の処理へ進む。これにより、特定原稿除去機能の設定の有無に従って、ＭＦＰ１００内部（たとえばＲＡＭ３５）の特定原稿除去フラグが「Ｔｒｕｅ」または「Ｆａｌｓｅ」にセットされる。
【００５５】
ステップＳ４において、ＣＰＵ１１は、プレビュー機能が設定されているか否かを判別する（Ｓ４）。プレビュー機能は、ジョブ開始直前にたとえば操作パネル３９を通じてユーザーによって設定されるものであってもよいし、管理者によって初期設定されるものであってもよい。ステップＳ４において、設定されていると判別した場合（Ｓ４でＹＥＳ）、特定原稿除去機能フラグが「Ｔｒｕｅ」にセットされているか否かを判別する（Ｓ５）。
【００５６】
ステップＳ５において、特定原稿除去機能フラグが「Ｔｒｕｅ」にセットされていると判別した場合（Ｓ５でＹＥＳ）、ＣＰＵ１１は、原稿の読み込みを開始し、原稿の画像を出力する前に、読み込んだ原稿のプレビュー画像（縮小画像）を作成する（Ｓ６）。ステップＳ６において、特定原稿検出部４３が特定原稿を検出したときは、ＣＰＵ１１は、そのページのプレビュー画像を作成せず、特定原稿を検出したことを示すアイコンを代わりに作成する。ステップＳ６においてＣＰＵ１１は、原稿のプレビュー画像を作成するとともに、原稿の画像の出力データを作成する。出力データを作成する場合に、特定原稿検出部４３が特定原稿を検出したときは、ＣＰＵ１１は、そのページの画像データを出力データから除去し、そのページの出力データを作成しない。
【００５７】
次にＣＰＵ１１は、プレビュー表示を行う（Ｓ７）。ステップＳ７の際にユーザーはプレビュー画像およびアイコン１０１を見て、これから出力する内容に誤りがないかを確認する。ここでプレビュー画像に問題がなければ出力を行い、やり直しが必要な場合は出力をキャンセルすることができる。
【００５８】
プレビュー表示後、ＣＰＵ１１は、ユーザーの指示に従って、作成した出力データを出力する（Ｓ８）。ステップＳ８においては、特定原稿は出力されない。その後ＣＰＵ１１は、ジョブを終了して（Ｓ１９）、処理を終了する。
【００５９】
ステップＳ４において、設定されていないと判別した場合（Ｓ４でＮＯ）、ＣＰＵ１１は、通常の方法で原稿を読み込み、読み込んだ原稿の画像を出力し（Ｓ１４）、ステップＳ１９の処理へ進む。ステップＳ１４において、特定原稿除去機能フラグが「Ｔｒｕｅ」にセットされている場合には、特定原稿を除く原稿の画像データが出力される。特定原稿除去機能フラグが「Ｆａｌｓｅ」にセットされている場合には、特定原稿を含む全ての原稿の画像データが出力される。
【００６０】
ステップＳ５において、特定原稿除去機能フラグが「Ｆａｌｓｅ」にセットされていると判別した場合（Ｓ５でＮＯ）、ＣＰＵ１１は、原稿の読み込みを開始し、読み込んだ原稿のプレビュー画像を作成する（Ｓ１１）。ステップＳ１１においてＣＰＵ１１は、原稿の全ページのプレビュー画像を作成するとともに、原稿の画像の全ページの出力データを作成する。ＣＰＵ１１は、特定原稿であってもその画像をプレビュー表示し、アイコン１０１との入れ替え動作は行わない。
【００６１】
次にＣＰＵ１１は、作成したプレビュー画像を読み込み順に表示し（Ｓ１２）、プレビュー表示後、ユーザーの指示に従って作成した出力データを出力する（Ｓ１３）。ステップＳ１３においては、特定原稿を含む全ての原稿の画像データが出力される。その後ＣＰＵ１１は、ステップＳ１９の処理へ進む。
【００６２】
［第２の実施の形態］
本実施の形態においては、リアルタイムプレビュー機能を設定した状態で複数のページよりなる原稿を読み込んだ場合のＭＦＰ１００の動作について説明する。なお、ＭＦＰ１００の構成については、第１の実施の形態と同様であるので、その説明は繰り返さない。
【００６３】
図６は、リアルタイムプレビュー機能を設定した状態で、複数のページよりなる原稿を読み込んだ場合に、操作パネル３９に表示されるプレビュー画像を模式的に示す図である。（ａ）〜（ｃ）は、原稿が白紙を含まない場合のプレビュー画像であり、（ｄ）〜（ｆ）は、原稿が白紙を含む場合のプレビュー画像である。
【００６４】
図６を参照して、リアルタイムプレビュー機能を設定した状態（たとえばプレビューキー５４が２回押下された状態）でコピージョブの実行指示をユーザーから受け付けると、画像読取部２１は、原稿の画像を１ページずつ読み取り、読み取った原稿の画像を電子化し、電子化したデータ（画像データ）をＲＡＭ３５に記憶する。特定原稿検出部４３は、ＲＡＭ３５に記憶された画像データから白紙を検出する。
【００６５】
操作パネル３９はリアルタイムプレビュー表示を行う。すなわち、操作パネル３９は、画像読取部２１にて原稿の全ページの画像の読み取りを完了する前に、読み取りを完了したページのプレビュー画像（縮小画像）をタッチパネル５１にプレビュー表示する。操作パネル３９は、たとえば、一定時間間隔で読み取り順に１枚ずつプレビュー画像を表示する。特定原稿検出部４３が白紙を検出した場合、操作パネル３９は、そのページの画像をプレビュー表示する代わりに、白紙であることを示す表示をタッチパネル５１に行う。リアルタイムプレビュー表示の際、操作パネル３９は、画像読取部２１にて原稿の１ページの画像を読み取る毎に、読み取った画像をプレビュー表示してもよい。
【００６６】
たとえば、１〜３ページよりなる原稿を読み込んだ場合を想定する。この場合、原稿Ｐ１の画像の読み取りが完了すると、タッチパネル５１には、（ａ）および（ｄ）に示すように、原稿Ｐ１のプレビュー画像が一定時間（たとえば１〜３秒間）表示される。原稿Ｐ１のプレビュー画像を表示してから一定時間経過後、（ｂ）および（ｅ）に示すように、原稿Ｐ２のプレビュー画像またはアイコン１０１が一定時間表示される。白紙である原稿Ｐ２のプレビュー画像は、（ｅ）に示すように、アイコン１０１に入れ替えられる。原稿Ｐ２のプレビュー画像またはアイコン１０１を表示してから一定時間経過後、（ｃ）および（ｆ）に示すように、原稿Ｐ３のプレビュー画像が一定時間プレビュー表示される。以降のページがあった場合には、同様の動作（プレビュー表示）が全ページに対して実施される。
【００６７】
アイコン１０１を表示する時間は、上述のように特定原稿ではない原稿のプレビュー画像を表示する時間と同一に設定される場合の他、特定原稿ではない原稿のプレビュー画像を表示する時間よりも短く設定されてもよい。アイコン１０１を表示する時間を短くするのは、アイコン１０１を表示した場合には、特定原稿が検出されたことをユーザーは直ちに理解することができるためである。
【００６８】
全ページをプレビュー表示した後、操作パネル３９を通じてユーザーから出力の指示を受け付けた場合には、特定原稿除去部４５は、ＲＡＭ３５に記憶された画像データから検出された白紙のデータを除去する。そして画像形成部２５は、白紙を除去した後の画像データに基づいて用紙に対して画像形成する。
【００６９】
（ｄ）〜（ｆ）に示す原稿の場合には、原稿Ｐ２の画像データが除去され、原稿Ｐ１およびＰ３のそれぞれの画像が印刷された用紙が出力される。
【００７０】
全ページの原稿を読み込んでからプレビュー表示する通常のプレビュー機能と比べて、リアルタイムプレビュー機能は、原稿の読み込み動作を行いながら原稿の画像をプレビュー表示するので、原稿のセット方向の間違いや、原稿のページ順の間違いに早く気づくことができるという利点がある。
【００７１】
図７は、第２の実施の形態におけるＭＦＰ１００の動作を示すフローチャートである。
【００７２】
図７を参照して、始めにＣＰＵ１１は、図５に示す第１の実施の形態におけるステップＳ２またはステップＳ３の処理を行った後、ステップＳ２１以降の処理を行う。
【００７３】
ステップＳ２１において、ＣＰＵ１１は、リアルタイムプレビュー機能が設定されているか否かを判別する（Ｓ２１）。リアルタイムプレビュー機能は、ジョブ開始直前にたとえば操作パネル３９を通じてユーザーによって設定されるものであってもよいし、管理者によって初期設定されるものであってもよい。ステップＳ２１において、設定されていると判別した場合（Ｓ２１でＹＥＳ）、ＣＰＵ１１は、特定原稿除去機能フラグが「Ｔｒｕｅ」にセットされているか否かを判別する（Ｓ５）。
【００７４】
ステップＳ５において、特定原稿除去機能フラグが「Ｔｒｕｅ」にセットされていると判別した場合（Ｓ５でＹＥＳ）、ＣＰＵ１１は、原稿の１ページの読み込みを開始し（Ｓ２２）、読み込んだ原稿が特定原稿であるか否か（特定原稿検出部４３にて特定原稿を検出したか否か）を判別する（Ｓ２３）。
【００７５】
ステップＳ２３において、特定原稿であると判別した場合（Ｓ２３でＹＥＳ）、ＣＰＵ１１は、特定原稿の画像の代わりにアイコン１０１（特定原稿検出表示）を表示し（Ｓ２４）、次の原稿があるか否かを判別する（Ｓ２５）。一方、ステップＳ２３において、特定原稿でないと判別した場合（Ｓ２３でＮＯ）、ＣＰＵ１１は、読み込んだ原稿のプレビュー画像を一定時間表示し（Ｓ２７）、ステップＳ２５の処理へ進む。
【００７６】
ステップＳ２５において、次の原稿があると判別した場合（Ｓ２５でＹＥＳ）、ＣＰＵ１１はステップＳ２２の処理へ進み、原稿の次のページの読み込みを開始する（Ｓ２２）。一方、ステップＳ２５において、次の原稿が無いと判別した場合（Ｓ２５でＮＯ）、原稿の全ページのプレビュー表示が終了した状態にある。この場合ＣＰＵ１１は、ユーザーの指示に従って、読み込んだ原稿の画像データを出力する（Ｓ３０）。その後ＣＰＵ１１は、ジョブを終了して（Ｓ３１）、処理を終了する。
【００７７】
ステップＳ２１において、設定されていないと判別した場合（Ｓ２１でＮＯ）、ＣＰＵ１１は、リアルタイムプレビュー表示を行わずに全ページの原稿の画像を読み取り（Ｓ２９）、原稿の全ページを読み込んだ後にプレビュー表示を行う（またはプレビュー表示自体を行わない）。その後ＣＰＵ１１は、ステップＳ３０の処理へ進む。
【００７８】
ステップＳ５において、特定原稿除去機能フラグが「Ｆａｌｓｅ」にセットされていると判別した場合（Ｓ５でＮＯ）、ＣＰＵ１１は、特定原稿除去機能を設定しない状態でリアルタイムプレビュー機能を行う（Ｓ２８）。すなわちＣＰＵ１１は、特定原稿であってもその画像をプレビュー表示し、アイコン１０１との入れ替え動作は行わない。最後のページのプレビュー表示が終了した後で、ＣＰＵ１１はステップＳ３０の処理へ進む。
【００７９】
［第３の実施の形態］
本実施の形態においては、第１の実施の形態または第２の実施の形態におけるプレビュー画像の表示形態の変形例について説明する。なお、ＭＦＰ１００の構成については、第１の実施の形態と同様であるので、その説明は繰り返さない。
【００８０】
図８は、リアルタイムプレビュー機能を設定した状態で原稿を読み込んだ場合に、操作パネル３９に表示されるプレビュー画像の第１の変形例を模式的に示す図である。
【００８１】
図８を参照して、この表示形態では、操作パネル３９は、画像読取部２１にて読み取りを完了した複数のページの画像をページ順に並べてプレビュー表示し、かつプレビュー表示する複数のページの画像のうち１つの画像を他の画像よりも拡大して表示し、かつ拡大して表示するする画像をページ順に一定時間ごとに切り替える。
【００８２】
リアルタイムプレビュー機能を設定した場合に、原稿の画像の読み取り速度は、プレビュー画像の更新速度（切り替え速度）よりも一般的に速いため、あるページの画像をプレビュー表示する時には、次の原稿の画像の読み取りは完了している。したがって、操作パネル３９は、プレビュー表示中の画像をタッチパネル５１の中央に大きく配置し、読み取りが完了しているその前後のページのプレビュー画像を、プレビュー表示中の画像の左右に小さく配置する。
【００８３】
たとえば、１〜５ページよりなる原稿であって、かつ２ページが白紙である原稿を読み込んだ場合を想定する。原稿Ｐ１の画像の読み取りが完了すると、タッチパネル５１には、（ａ）に示すように、原稿Ｐ１の大きなプレビュー画像１０３が一定時間表示される。原稿Ｐ２以降の画像の読み取りが完了すると、タッチパネル５１には、原稿Ｐ１のプレビュー画像の右側に、原稿Ｐ２以降の小さいプレビュー画像１０５またはアイコン１０１がプレビュー表示される。原稿Ｐ１のプレビュー画像を表示してから一定時間経過後、（ｂ）に示すように、原稿Ｐ２が特定原稿であることを示すアイコン１０１が一定時間表示される。この時、アイコン１０１の左側には原稿Ｐ１の小さなプレビュー画像１０５が表示され、アイコン１０１の右側には原稿Ｐ３以降のページの小さなプレビュー画像１０５がページ順に並べて表示される。原稿Ｐ２が特定原稿であることを示すアイコン１０１を表示してから一定時間経過後、（ｃ）に示すように、原稿Ｐ３の大きなプレビュー画像１０３が一定時間表示される。この時、原稿Ｐ３の大きなプレビュー画像１０３の左側には、原稿Ｐ１の小さなプレビュー画像１０５と、原稿Ｐ２が特定原稿であることを示すアイコン１０１とが表示され、原稿Ｐ３の大きなプレビュー画像１０３の右側には、原稿Ｐ４以降のページの小さなプレビュー画像１０５がページ順に並べて表示される。その後、原稿Ｐ４およびＰ５の大きなプレビュー画像が一定時間間隔で順に表示される。
【００８４】
図８に示す表示形態によれば、原稿の各ページの位置関係を把握することができる。また、特定原稿であることをアイコン１０１で示すことにより、小さなプレビュー画像のスペースにおいてもユーザーに対して特定原稿を検出したことを伝えることができる。
【００８５】
図９は、リアルタイムプレビュー機能を設定した状態で原稿を読み込んだ場合に、操作パネル３９に表示されるプレビュー画像の第２の変形例を模式的に示す図である。
【００８６】
図９を参照して、この表示形態では、操作パネル３９は、アイコン１０１を一旦表示した後で、次のページの画像（別の画像）をプレビュー表示した場合に、次のページのプレビュー画像とともにアイコン１０１を表示し続ける。
【００８７】
たとえば、複数のページからなる原稿であって、２ページが白紙である原稿を読み込んだ場合を想定する。原稿Ｐ１の画像の読み取りが完了すると、タッチパネル５１の中央には、（ａ）に示すように、原稿Ｐ１のプレビュー画像が一定時間表示される。この時、アイコン１０１は表示されない。原稿Ｐ１のプレビュー画像を表示してから一定時間経過後、（ｂ）に示すように、原稿Ｐ２が特定原稿であることを示すアイコン１０１がタッチパネル５１の中央に一定時間表示される。原稿Ｐ２が特定原稿であることを示すアイコン１０１を表示してから一定時間経過後、（ｃ）に示すように、原稿Ｐ３のプレビュー画像がタッチパネル５１の中央に一定時間表示される。この時、原稿Ｐ３のプレビュー画像のたとえば右上には、原稿Ｐ２が特定原稿であることを示すアイコン１０１が表示され続ける。このアイコン１０１は、最終ページの画像のプレビュー表示まで表示され続ける。プレビュー画像の右上に表示されるアイコン１０１の数は、アイコン１０１を一旦表示した後で、次のページの画像をプレビュー表示する度に１個ずつ増える。その結果、最終ページの画像がタッチパネル５１の中央にプレビュー表示される時には、（ｄ）に示すように、それまでにアイコン１０１として表示された白紙の累積枚数に相当する個数（図９では３個）のアイコン１０１が、最終ページの画像の右上に表示される。
【００８８】
なお、図９においては、それまでにアイコン１０１として表示された白紙の累積枚数に相当する個数のアイコンが、プレビュー画像とともに表示される場合について示したが、１個以上のアイコン１０１をプレビュー画像とともに表示しないようにしてもよい。この場合には、プレビュー画像とともに表示される１個のみのアイコン１０１により、白紙を検出したことをユーザーに簡単な方法で知らせることができる。
【００８９】
たとえば図８または図９などの表示形態において、特定原稿検出部４３が特定原稿を連続して検出した場合には、操作パネル３９は、連続して検出した特定原稿の最先のページ以降のページを、連続して検出した特定原稿の最先のページとは異なるアイコンで表示してもよい。
【００９０】
図１０は、特定原稿検出部４３が特定原稿を連続して検出した場合に、操作パネル３９に表示されるプレビュー画像の第３の変形例を模式的に示す図である。（ａ）は、図８の表示形態の場合であり、（ｂ）は、図９の表示形態の場合である。
【００９１】
図１０を参照して、たとえば、複数のページからなる原稿であって、１ページおよび２ページが白紙である原稿を読み込んだ場合を想定する。この場合、図８の表示形態では、（ａ）に示すように、原稿Ｐ１が特定原稿であることを示すアイコンとしてアイコン１０１が表示され、原稿Ｐ２が特定原稿であることを示すアイコンとして、アイコン１０１とは異なるアイコン１０２が表示される。また、図９の表示形態では、（ｂ）に示すように、原稿Ｐ１が特定原稿であることを示すアイコンとしてアイコン１０１がプレビュー画像の右上に表示され、原稿Ｐ２が特定原稿であることを示すアイコンとして、アイコン１０１とは異なるアイコン１０２がプレビュー画像の右上に表示される。
【００９２】
複数のページからなる原稿の中に、ユーザーが合紙としての目的などで白紙を混入させた場合には、合紙として混入された白紙は除去されるべきものである。しかし、白紙が連続して検出された場合には、ユーザーが合紙として白紙を誤って二枚混入させたか、白紙でない原稿を誤って白紙として検出したか（読み取り不良が発生したか）のいずれかである可能性が高い。図１０の表示形態によれば、このような場合に、白紙が連続して検出されたことを、アイコン１０２によりユーザーに対してより明確に知らせることができる。
【００９３】
なお、図８〜図１０に示す表示形態は、リアルタイムプレビュー表示の場合に限らず、通常のプレビュー表示の場合にも適用することができる。
【００９４】
［第４の実施の形態］
本実施の形態においては、アイコン１０１の選択を受け付けた場合のＭＦＰ１００の動作について説明する。なお、ＭＦＰ１００の構成については、第１の実施の形態と同様であるので、その説明は繰り返さない。
【００９５】
図１１は、タッチパネル５１にアイコン１０１が表示された状態で、アイコン１０１が選択された場合に、操作パネル３９に表示されるプレビュー画像を模式的に示す図である。（ａ）は、白紙であるページのプレビュー画像の代わりに表示されるアイコン１０１であり、（ｂ）は、他のページのプレビュー画像とともに表示されるアイコン１０１である。（ｃ）は、アイコン１０１に対応するページの白紙のプレビュー画像である。
【００９６】
図１１を参照して、本実施の形態では、タッチパネル５１にアイコン１０１が表示されている場合に、アイコン１０１の選択を受け付けたときは、操作パネル３９は、選択を受け付けたアイコン１０１に関する特定原稿の画像をプレビュー表示する。
【００９７】
上述のように、たとえば図４の表示形態などでは、（ａ）に示すように、白紙であるページのプレビュー画像の代わりにアイコン１０１（特定原稿を検出したときの表示）がタッチパネル５１に表示される。また、図９の表示形態では、（ｂ）に示すように、アイコン１０１を一旦表示した後で、次のページの画像がプレビュー表示されると、次のページのプレビュー画像とともにアイコン１０１（原稿の中に特定原稿があったことを示す表示）がタッチパネル５１に表示され続ける。これらのアイコン１０１は操作対象として選択可能であり、タッチパネル５１を通じてアイコン１０１が押下されると、（ｃ）に示すように、選択を受け付けたアイコン１０１に関するページのプレビュー画像１０７がタッチパネル５１に表示される。
【００９８】
ユーザーが特定原稿を混入させていないにもかかわらず特定原稿が検出された場合に、ユーザーは特定原稿を検出したことに疑いを持って、その原稿が本当に特定原稿であったか否かをじっくりと確認したいことがある。たとえば、白紙の原稿が特定原稿として設定された場合、ＭＦＰ１００は完全な白紙ではなく、印字率が基準値以下である原稿を白紙と判定する。このため、白紙と判定された原稿は、実際には白紙ではなく、小さくまたは薄く文字などが記載された原稿である可能性がある。このような原稿は、ユーザーが意図して混入させた白紙の原稿ではないため、ユーザーはその原稿の除去を望んでいない。したがって、上述の制御を行うことで、ユーザーの望まない原稿の除去を防止することができる。
【００９９】
図１２は、タッチパネル５１にアイコン１０１が表示された状態で、アイコン１０１が選択された場合に、操作パネル３９に表示されるプレビュー画像の変形例を示す図である。
【０１００】
図１２を参照して、リアルタイムプレビュー機能を設定している場合において、アイコン１０１の選択を受け付けたときは、画像読取部２１は原稿の画像の読み取りを一時停止してもよい。
【０１０１】
原稿の画像の読み取りを一時停止した場合、操作パネル３９は、ダイアログ１０９を表示する。このダイアログ１０９には、原稿の読み込みを中止していることを示す「休止中」という文字と、原稿の画像の読み取りを再開させるキー１１１と、原稿の読み取りを停止（ジョブを破棄）させるキー１１３とが含まれている。ユーザーは、プレビュー画像１０７を確認した結果、削除に問題が無い場合には読み込みを再開し、削除に問題があり再度始めからジョブを実行させたい場合はジョブを破棄する。画像読取部２１は、ユーザーによるキー１１１または１１３の選択に従って、原稿の画像の読み取りを再開または停止する。原稿の画像の読み取りを再開する場合には、画像読取部２１は、一時停止する前に読み取み込んだ原稿の次の原稿から画像の読み取り動作を再開し、操作パネル３９は、一時停止時に表示していた画像からプレビュー表示を再開する。これにより、一時停止した後の動作をスムーズに行うことができる。
【０１０２】
図１３は、第４の実施の形態におけるＭＦＰ１００の動作を示すフローチャートである。
【０１０３】
図１３を参照して、始めにＣＰＵ１１は、図７に示す第２の実施の形態におけるステップＳ２４またはステップＳ２７の処理を行った後、ステップＳ４１以降の処理を行う。
【０１０４】
ステップＳ４１において、ＣＰＵ１１は、アイコン１０１（特定原稿検出表示）がユーザーによって選択されたか否かを判別する（Ｓ４１）。
【０１０５】
ステップＳ４１において、アイコン１０１が選択されたと判別した場合（Ｓ４１でＹＥＳ）、ＣＰＵ１１は、画像の読み込みを一旦停止し、特定原稿と判別された原稿のプレビュー画像（詳細）と、ダイアログ１０９とを表示し（Ｓ４３）。ジョブが破棄されたか（キー１１３が押下されたか）否かを判別する（Ｓ４５）。
【０１０６】
ステップＳ４５において、ジョブが再開されたと判別した場合（Ｓ４５でＮＯ）、ＣＰＵ１１は、ステップＳ２５の処理へ進み、ジョブを再開し、次の原稿があるか否かを判別する（Ｓ２５）。一方、ステップＳ４５において、ジョブが破棄されたと判別した場合（Ｓ４５でＹＥＳ）、ＣＰＵ１１はジョブを破棄し、そのまま処理を終了する。
【０１０７】
［実施の形態の効果］
上述の実施の形態によれば、特定原稿を検出した場合に、特定原稿のプレビュー画像が、特定原稿を検出したことを示す表示に置き換えられて表示される。このため、原稿の読み取りを中断せずに、特定原稿を検出したことをユーザーに対して伝えることができる。また特定原稿であることを示す表示を行った上で、特定原稿の画像を除いた画像を出力するので、特定原稿が正常に除去されたか否かをユーザーは確認することができる。したがって、特定原稿除去機能が設定された場合のプレビュー表示において、特定原稿を検出したことを、生産性を維持しつつ効果的にユーザーに対して伝えることができる。
【０１０８】
また、特定原稿であることを示す表示をアイコンとすることにより、特定原稿であることを示す表示を文字（メッセージ）とした場合に比べて、特定原稿を検出したことを省スペースでかつ迅速にユーザーに対して伝えることができる。すなわち、特定原稿であることを示す表示をアイコンとした場合には、ユーザーは文字を読む必要がなくなり、特定原稿を検出したことを迅速に伝えることができる。特にリアルタイムプレビュー機能を設定している場合などのように、短時間で連続して表示画像が切り替わる場合であっても、特定画像であることを示す表示の見落しを防止することができ、表示の意図を伝えることができる。また、図８に示すように小さなプレビュー画像を表示する場合にも、特定原稿であることを示す表示をアイコンとした場合には、小さなプレビュー画像のスペースにも表示することができる。
【０１０９】
［その他］
上述の実施の形態は適宜組み合わせることができる。たとえば、第１の実施の形態と第４の実施の形態とを組み合わせることにより、通常のプレビュー表示で特定原稿であることを示す表示が表示された場合において、その表示が選択されたときに、その表示に関する特定原稿の画像をプレビュー表示してもよい。
【０１１０】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピュータにより実行される。また、プログラムはインターネットなどの通信回線を介して、装置にダウンロードするようにしてもよい。
【０１１１】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１２】
１０  制御部
１１  ＣＰＵ
１３  給紙部
１５  後処理部
１７  排出トレイ
２１  画像読取部
２１ａ  給紙トレイ
２３  画像処理部
２５  画像形成部
２７  画像出力部
２９  ファクシミリ制御部
３１  ネットワーク接続部
３３  ＲＯＭ
３５  ＲＡＭ
３７  ＨＤＤ
３９  操作パネル
４１  後処理部
４３  特定原稿検出部
４５  特定原稿除去部
５１  タッチパネル
５３  コピーキー
５４  プレビューキー
５５  スタートキー
５７  テンキー
１０１，１０２  アイコン
１０３，１０５，１０７  プレビュー画像
１０９  ダイアログ
１１１，１１３  キー
【図１】
2015146644.tif 000003
【図２】
2015146644.tif 000004
【図３】
2015146644.tif 000005
【図４】
2015146644.tif 000006
【図５】
2015146644.tif 000007
【図６】
2015146644.tif 000008
【図７】
2015146644.tif 000009
【図８】
2015146644.tif 000010
【図９】
2015146644.tif 000011
【図１０】
2015146644.tif 000012
【図１１】
2015146644.tif 000013
【図１２】
2015146644.tif 000014
【図１３】
2015146644.tif 000015